(57)【要約】【課題】表示を行うことにより表示デバイス焼き付きを防止することができる自動再生機能を有するものにおいて、同じ、あるいは類似する画像が連続再生されることにより焼付け現象が生じることを極力回避する。【解決手段】携帯電子機器（携帯電話）は、複数の表示素子を有し、当該複数の表示素子ごとの発光状態を制御することにより表示を行う表示部１６（ＯＬＥＤ）と、複数の画像を記憶する記憶部１３と、記憶部１３から画像を取得し、当該取得した画像を表示部１６に表示する制御部１２と、を備え、制御部１２は、記憶部１３に記憶された複数の画像を切替え自動再生する際、記憶部１３に記憶された画像の枚数もしくは自動再生が設定されている画像の枚数を判定し、所定枚数以下の場合、表示素子単位で画像を変化させる描画処理を実行して表示部１６に順次表示するように制御する。【選択図】図１
2008278046.tif 000002
【特許請求の範囲】
【請求項１】
複数の表示素子を有し、当該複数の表示素子ごとの発光状態を制御することにより表示を行う表示部と、
複数の画像を記憶する記憶部と、
前記記憶部から画像を取得し、当該取得した画像を前記表示部に表示する制御部と、を備え、
前記制御部は、
前記記憶部に記憶された複数の画像を切替え自動再生する際、前記記憶部に記憶された画像の枚数もしくは前記自動再生が設定されている画像の枚数を判定し、所定枚数以下の場合、前記表示素子単位で画像を変化させる描画処理を実行して前記表示部に順次表示する
ことを特徴とする携帯電子機器。
【請求項２】
前記制御部は、
フェードイン・アウト、もしくはスクロールイン・アウトにより、前記表示素子単位で画像を変化させる描画処理を実行する
ことを特徴とする請求項１に記載の携帯電子機器。
【請求項３】
前記制御部は、
前記記憶部に記憶された複数の画像を切替え自動再生する際、次に表示される画像に付与されているタイムスタンプと、直前に表示されていた画像のタイムスタンプとを比較判定して一致した場合に前記描画処理を実行する
ことを特徴とする請求項１または２に記載の携帯電子機器。
【請求項４】
前記制御部は、
前記記憶部に記憶された複数の画像を切替え自動再生する際、次に表示される画像と、直前に表示されていた画像のビットストリームを比較判定し、一致、もしくは類似する場合に前記描画処理を実行する
ことを特徴とする請求項１または２に記載の携帯電子機器。
【請求項５】
前記複数の発光素子は、ＲＧＢの発光素子であり、
前記制御部は、前記記憶部に記憶された複数の画像を切替え自動再生する際、次に表示される画像と、直前に表示されていた画像のＲＧＢデータを比較判定し、一致、もしくは類似する場合に前記比較判定を行う
ことを特徴とする請求項１または２に記載の携帯電子機器。
【請求項６】
待受け画面を使用して前記自動再生を行う対象となる画像を設定する操作部を有し、
前記制御部は、
前記操作部を介して設定がなされた場合に前記描画処理実行の判定を行う
ことを特徴とする請求項３から５のいずれか１項に記載の携帯電子機器。
【発明の詳細な説明】
【技術分野】
【０００１】
本発明は、有機ＥＬ（Organic Electro Luminescence）を表示デバイスとして有する、特に、携帯電話に用いて好適な、携帯電子機器に関するものである。
【背景技術】
【０００２】
現在、携帯電話の表示デバイスは、ＬＣＤ（Liquid Crystal Display）が主流となって普及しているが、最近、有機ＥＬ（以下、ＯＬＥＤ（Organic Light-Emitted Diode）という）が注目され、ＬＣＤが持つ高解像度、薄型軽量の特徴と、ＣＲＴ（Cathode Ray tube）が持つ高コントラスト、広視野角の特徴とを合わせ持つ新たな表示デバイスとして採用が検討されるようになった。
【０００３】
ＯＬＥＤは、ＣＲＴやプラズマ同様、自発光型の表示デバイスであり、ガラス基板上にＩＴＯ（Indium Tin Oxide）からなるアノード電極を形成し、その上に、ホール輸送層、発光層、電子輸送層からなる有機層と、金属電極とからなるカソード電極が形成されている。ＬＣＤは、輝度がバックライトにより液晶パネルに入射される光量で制御されるのに対し、ＯＬＥＤは、有機層に流れる電流により制御されるため、発光していない部分は完全に黒表示となりコントラストが非常に高いという特徴を持つ。
【０００４】
このため、有機物の劣化から画素単位で輝度の劣化が発生し、表示の焼付けと呼ばれる現象が生じる。具体的に、各表示画素が色を伴って発光するため、画素毎、使用時間に応じて輝度が劣化し、したがって、特定箇所のみ表示を連続させた場合、使用する画素のみ輝度が低下し（焼付け）、隣接する画素とともに同一色を表示させたときに色合いが異なるといった現象が発生する
【０００５】
上記した焼付け現象の対策のために、従来、データ表示の表示速度を設定し、設定された速度で画像を表示させる無線通信端末（例えば、特許文献１参照）、外部電源の接続を検知したときに表示の反転表示と非反転表示の切換えを行う表示装置（例えば、特許文献２参照）、表示エリアを複数に分割して時間に応じて表示エリアを変更する端末装置（例えば、特許文献３参照）、Ｒ、Ｇ、Ｂ各発光素子のうち、発光輝度の経時的劣化速度が大きい素子に対応する色ほど、画像の白表示部を構成するＲＧＢ比率が小さく成るように、計算により画像の白表示の色度座標を決定する携帯型電話機（例えば、特許文献４）がそれぞれ提案されている。
【特許文献１】特開２００２−２６８６０１号公報
【特許文献２】特開２００３−１８６４３４号公報
【特許文献３】特開２００３−２２３１６０号公報
【特許文献４】特開２００３−２８０５８８号公報
【発明の開示】
【発明が解決しようとする課題】
【０００６】
ユーザによって選択されるアイコン等の表示オブジェクトは、例えば、特許文献３に開示されるように、その表示位置を変化させると、非常に使い勝手が悪くなる。また、特許文献２に開示されるように、表示色を時系列に変化させる処理をバックグランドで行う場合には、一部ＣＰＵリソースが割当てられ、したがって他の処理に悪影響を及ぼす。更に、特許文献４に開示された技術によれば、膨大な計算量を必要とし、このため、ＣＰＵにかかる負荷が大きくなるといった問題があった。
【０００７】
一方、最近、自動再生（オートプレイ）機能を備えた携帯電話が出現し、このオートプレイ機能を用いることでデータフォルダ内の画像を自動で一定時間毎に連続再生することができる。対象は静止画像（ＪＰＥＧ、ＧＩＦ、ＰＮＧ、ＢＭＰ、ＴＩＦＦ等）である。オートプレイ機能は、通常、フォルダ一覧の中からオートプレイの対象とするフォルダを選択することで、そのフォルダ内に設定された画像が連続再生される。このオートプレイ機能は、ＯＬＥＤを表示デバイスとして用いる携帯電子機器等において焼き付け防止のためにも用いることもできる。なお、上記したオートプレイ機能は、他に、グラフィックススタンドやスライドショーと呼ばれることもある。
【０００８】
但し、上記したオートプレイを行うデータフォルダ内に同じ、あるいは類似する画像が多数含まれていた場合、同じような画面（画像）が連続して表示されるため、焼き付き防止のために用いることはできない。すなわち、再生される画像によっては特定部分の画素に同色表示が連続するためその画素のみが発光単位で劣化し、他の画素に比較して発光量が低下してしまう可能性があり、したがって、均一な発光を行えない場合がある。また、上記した特許文献１〜特許文献４に開示された技術は、オートプレイ機能のように表示を意図して焼き付きを防止する方法ではないため、このようなケースで発生する焼き付きを回避することはできない。
【０００９】
本発明は上記した課題を解決するためになされたものであり、表示を行うことにより表示デバイス焼き付きを防止することができる自動再生機能を有するものにおいて、同じ、あるいは類似する画像が連続再生されることにより焼付け現象が生じることを極力回避することのできる携帯電子機器を提供することを目的とする。
【課題を解決するための手段】
【００１０】
上記した課題を解決するために本発明の携帯電子機器は、複数の表示素子を有し、当該複数の表示素子ごとの発光状態を制御することにより表示を行う表示部と、複数の画像を記憶する記憶部と、前記記憶部から画像を取得し、当該取得した画像を前記表示部に表示する制御部と、を備え、前記制御部は、前記記憶部に記憶された複数の画像を切替え自動再生する際、前記記憶部に記憶された画像の枚数もしくは前記自動再生が設定されている画像の枚数を判定し、所定枚数以下の場合、前記表示素子単位で画像を変化させる描画処理を実行して前記表示部に順次表示するように制御するものである。
【００１１】
また、本発明の携帯電子機器において、前記制御部は、フェードイン・アウト、もしくはスクロールイン・アウトにより、前記表示素子単位で画像を変化させる描画処理を実行するように制御してもよい。
【００１２】
また、本発明の携帯電子機器において、前記制御部は、前記記憶部に記憶された複数の画像を切替え自動再生する際、次に表示される画像に付与されているタイムスタンプと、直前に表示されていた画像のタイムスタンプとを比較判定して一致した場合に前記描画処理を実行するように制御してもよい。
【００１３】
また、本発明の携帯電子機器において、前記制御部は、前記記憶部に記憶された複数の画像を切替え自動再生する際、次に表示される画像と、直前に表示されていた画像のビットストリームを比較判定し、一致、もしくは類似する場合に前記描画処理を実行するように制御してよい。
【００１４】
また、本発明の携帯電子機器において、前記複数の発光素子は、ＲＧＢの発光素子であり、前記制御部は、前記記憶部に記憶された複数の画像を切替え自動再生する際、次に表示される画像と、直前に表示されていた画像のＲＧＢデータを比較判定し、一致、もしくは類似する場合に前記比較判定を行うように制御してもよい。
【００１５】
また、本発明の携帯電子機器において、待受け画面を使用して前記自動再生を行う対象となる画像を設定する操作部を有し、前記制御部は、前記操作部を介して設定がなされた場合に前記描画処理実行の判定を行うように制御してもよい。
【発明の効果】
【００１６】
本発明によれば、表示を行うことにより表示デバイス焼き付きを防止することができる自動再生機能を有する携帯電子機器において、同じ、あるいは類似する画像が連続再生されることにより焼付け現象が生じることを極力回避することができる。
【発明を実施するための最良の形態】
【００１７】
図１は、本発明の実施の形態に係る携帯電子機器の内部構成を示すブロック図である。ここでは、携帯電子機器として携帯電話が例示されている。
図１に示されるように、携帯電話は、通信部１１と、制御部１２と、記憶部１３と、音声処理部１４と、操作部１５と、表示部１６とにより構成される。
【００１８】
通信部１１は、不図示の基地局のいずれかによって割り当てられるチャネルを用いて当該基地局との間で通信回線を介して無線信号の送受信を行う。
【００１９】
制御部１２は、後述する記憶部１３に記憶された複数の画像を切替え自動再生する際（オートブレイ実行時）、記憶部１３に記憶された画像の枚数、もしくは自動再生が設定されている画像の枚数を判定し、所定枚数以下の場合、表示素子単位で画像を変化させる、例えば、フェードイン・アウト、もしくはスクロール（スライド）イン・アウト等（その他、画像の切り替わりに、特殊効果を伴うもので代用してもよい。）の描画処理を実行して後述する表示部１６に順次表示する機能を有する。
【００２０】
制御部１２はまた、記憶部１３に記憶された複数の画像を切替え自動再生する際、次に表示される画像に付与されているタイムスタンプと、直前に表示されていた画像のタイムスタンプとを比較判定して一致した場合に前記描画処理を実行する。あるいは、次に表示される画像と、直前に表示されていた画像のビットストリームを比較判定し、一致、もしくは類似する場合に描画処理を実行する。あるいは、次に表示される画像と、直前に表示されていた画像のＲＧＢデータを比較判定し、一致、もしくは類似する場合に描画処理を実行する。なお、制御部１２は、後述する操作部１５を介して再生設定がなされた場合にのみ上記した描画処理実行の判定を行う。
【００２１】
このため、制御部１２は、その内部構成が機能展開して示されるように、主制御部１２０と、自動再生設定部１２１と、画像取得部１２２と、自動再生処理部１２３とにより構成される。
【００２２】
主制御部１２０は、記憶部１３に記憶された複数の画像を切替え自動再生する際、記憶部１３に記憶された画像の枚数、もしくは自動再生が設定されている画像の枚数を判定し、所定枚数以下の場合、表示素子単位で画像を変化させる描画処理を実行して後述する表示部１６に順次表示する制御部１２としてのシーケンス制御を司る。また、自動再生設定部１２１は、後述する操作部１５と、表示部１６（待受け画面）とを使用して、ユーザに対し、自動再生を行う対象となる画像を設定させるＧＵＩ（Graphical User Interface）環境を提供する。
【００２３】
画像取得部１２２は、記憶部１３に記憶された複数の画像を切替え自動再生する際、自動再生設定部１２１により設定された画像を記憶部１３から順次取得して自動再生処理部１２３へ供給する機能を有する。
【００２４】
自動再生処理部１２３は、自動再生アプリ（オートプレイ機能）を実行して記憶部１３に記憶された複数の画像を切替え自動再生する機能を有する。自動再生処理部１２３は、このとき、記憶部１３に記憶された画像の枚数、もしくは自動再生が設定されている画像の枚数を判定し、所定枚数以下の場合、フェードイン・アウト、あるいはスクローイン・アウト等の画像処理を行い、表示部１６の表示内容を発光素子単位で変化させる。
【００２５】
自動再生処理部１２３は、上記した自動再生機能を実行するにあたり、次に表示される画像に付与されているタイムスタンプと、直前に表示されていた画像のタイムスタンプとを比較判定して、一致した場合にフェードイン・アウト、スクロールイン・アウト等、故意に画像の切り替えを遅延させる、等の特殊効果を付与し、表示部１６の発光素子単位で画像を変化させる描画処理を実行してもよい。また、自動再生処理部１２３は、次に表示される画像と、直前に表示されていた画像のビットストリームを比較判定し、一致、もしくは類似する場合に上記した描画処理を実行してもよい。また、自動再生処理部１２３は、次に表示される画像と、直前に表示されていた画像のＲＧＢデータを比較判定し、一致、もしくは類似する場合に上記した描画処理を実行しもよい。
【００２６】
自動再生処理部１２３はまた、自動再生設定部１２１により設定された内容にしたがい記憶部１３に描画データを展開し、また、表示部１６の表示タイミングに同期して記憶部１３から描画データを読み出して表示部１６に表示する。
【００２７】
なお、記憶部１３には、内部処理のための処理プログラム（自動再生処理アプリ等）が複数格納されるプログラム領域の他に、制御部１２による処理途中のデータが一時的に保持されるワーク領域と、１画面分の表示データがビットマップ形式で描画される表示メモリ領域とがそれぞれ割り付けられ格納される。記憶部１３は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成されるものとする。
【００２８】
音声処理部１４は、スピーカ（ＳＰ）から出力される音声信号やマイク（ＭＩＣ）を介して入力される音声信号の処理を行う。
すなわち、音声処理部１４は、マイクから入力される音声を増幅し、アナログ／デジタル変換を行い、更に符号化等の信号処理を施し、デジタルの音声データに変換して制御部１２に出力する。
また、音声処理部１４は、制御部１２から供給される音声データに復号化、デジタル／アナログ変換、増幅等の信号処理を施し、アナログの音声信号に変換してスピーカに出力する。
【００２９】
操作部１５は、例えば、電源キー、通話キー、数字キー、文字キー、方向キー、決定キー、発信キーなど、各種の機能が割り当てられたキーを有しており、これらのキーがユーザによって操作された場合に、その操作内容に対応する信号を発生し、これをユーザの指示として制御部１２に入力する。
【００３０】
表示部１６は、制御部１２により生成される表示情報を映像信号に変換して表示する。例えば、携帯電話機発信時における発信先の電話番号、着信時における着信相手の電話番号、受信メールや送信メールの内容、日付、時刻、アンテナレベル、バッテリ残量等のピクト、発信成否、待ち受け画面などの各種の情報や画像を表示する。ここでは、表示部１６として、複数の表示素子を有し、当該複数の表示素子ごとの発光状態を制御することにより表示を行うＯＬＥＤパネルを用いることとする。
【００３１】
ＯＬＥＤパネルは、例えば、図２にその内部構成が示されるように、タイミング制御部１６１と、カラム駆動部１６２と、ロウ駆動部１６３と、電源部１６４と、ＯＬＥＤパネル本体１６５とにより構成される。
【００３２】
上記した制御部１２の自動再生処理部１２３により出力される映像信号（ＶＩＤＥＯ）は、タイミング制御部１６１により、ＲＧＢ信号、垂直同期（ＶＤ）および水平同期信号（ＨＤ）に分離される。このうち、ＲＧＢ信号は、一旦、カラム駆動部１６２によりアナログラッチで保持された後、設定されたタイミングでＯＬＥＤパネル本体１６５のカラム本数分並列に一度に出力される。出力された信号は、それぞれ電圧から電流値に変換され、カラムを定電流駆動する。
【００３３】
また、ＶＤおよびＨＤは、ロウ駆動部１６３で所定の電圧に変換され、カラムで出力された定電流信号で選択された画素のＯＮまたはＯＦＦ状態を決定する。例えば、横がｍ画素、縦がｎ画素のＯＬＥＤパネル本体１６５を想定すれば、ＯＬＥＤパネル本体１６５は、ｍ本のカラム電極と、ｎ本のロウ電極とを有していることになる。ｎ本のロウ電極は、ロウ電極の１行目からｎ行目を順次走査しており、ある動作時間のみカラム電極を介して駆動される定電流信号によって動作状態となる。このように、１行目のロウ電極から最下段のｎ行目のロウ電極まで逐次走査が切替えられて１画面分のアドレスが更新される。このときの１行目からｎ行目までの走査パルス列によって生成される１画面分の画像をフレームといい、連続的に画像を表示させるためにはこの画面走査を繰り返し行う必要がある。
【００３４】
図３は、本発明の実施の形態に係る携帯電子機器の動作を示すフローチャートである。以下、図３のフローチャートを参照しながら、図１に示す携帯電子機器（携帯電話）の動作について詳細に説明する。
【００３５】
携帯電話（制御部１２）は、最初に、オートプレイ機能の設定の有無を判定する（ステップＳ３０１）。オートプレイ機能の設定は、自動再生設定部１２１により提供されるＧＵＩにより行なわれ、主制御部１２０により制御の下で表示部１６に表示される待受け画面のメニュー選択により行われる、また、このとき、ユーザが操作部１５を操作して自動再生の対象となる画像が格納されたデータフォルダが設定される。
【００３６】
ここで、オートプレイ機能が設定されていた場合（ステップＳ３０１“Ｙｅｓ”）、画像取得部１２２は、記憶部１３から該当するデータフォルダを取得して、自動再生処理部１２３へ供給する（ステップＳ３０２）。
【００３７】
データフォルダを取得した自動再生処理部１２３は、まず、データフォルダ内に含まれる画像数が一定数を超えるか否かを判定する（ステップＳ３０３）。ここで、あらかじめ規定された閾値以上の場合（ステップＳ３０３“Ｎｏ”）、自動再生処理部１２３は、データフォルダに含まれる画像を、順次あるいは指定順に読み込み（ステップＳ３０４）、所定の時間間隔で表示部１６に通常の自動再生表示を行う（ステップＳ３０５）。
【００３８】
一方、閾値に満たない一定数以下の場合（ステップＳ３０３“Ｙｅｓ”）、自動再生処理部１２３は、データフォルダに含まれる画像を、順次あるいは指定順に読み込み（ステップＳ３０６）、その画像に対して設定に応じた表示切替えを行うように、例えば、フェードイン（あるいはスクロールイン）等の画像処理を施し表示部１６に表示するとともに、自動再生の表示間隔が設定されるタイマをスタートさせる（ステップＳ３０７、Ｓ３０８）。
【００３９】
なお、ここで行なわれる表示切替えは、自動再生処理部１２３が取得した画像に対し、表示部１６（ＯＬＥＤ）の表示素子単位で画像を変化させる描画処理を実行して記憶部１３の表示メモリ領域に転送（書き込み）することにより実現される。ここでは、フェードイン・アウト、スクロールイン・アウトは上記した描画処理の一例として用いられる。
【００４０】
自動再生処理部１２３は、続いてデータフォルダ内にある次の画像を取得し（ステップＳ３０９）、タイムアウトを検出すると（ステップＳ３１０“Ｙｅｓ”）、現在、表示部１６に表示されている画像と、次に表示すべき画像とを比較して、同一性あるいは類似性を判定する（ステップＳ３１１）。
【００４１】
ここで行なわれる同一性あるいは類似性の比較は、画像に付加されたタイムスタンプ、あるいは画像のビットストリーム、ＲＧＢデータとする。比較の結果、同一あるいは類似性ありと判定された場合（ステップＳ３１１“＝または≒”）、自動再生処理部１２３は、設定に応じたフェードアウト（スクロールアウト）等の表示切替えのための描画処理を行う（ステップＳ３１２）。ここでは、ステップＳ３０７で表示切替えを行なったときの描画と逆方向の処理を行う。一方、比較の結果、同一あるいは類似性なしと判定された場合（ステップＳ３１１“≠”）、自動再生処理部１２３は、表示部１６に通常再生表示を行う（ステップＳ３１３）。
【００４２】
以上の処理（ステップＳ３０６〜Ｓ３１３）は、データフォルダに含まれる画像が一巡するまで、あるいは設定された自動再生回数に到達するまで繰り返し実行される（ステップＳ３１４）。
【００４３】
以上説明のように本発明の実施の形態に係る携帯電子機器によれば、自動再生の対象となる画像の件数や同一性、あるいは類似性を監視することで、同じ画面が繰返し表示されることを回避することで発光素子の焼付けを防止し、結果的に、特定部分の画素に同色表示が連続するためその画素のみが発光単位で劣化することはなくなり、したがって、均一な発光を行うことができる。
【００４４】
なお、上記した本発明の実施の形態によれば、携帯電子機器として携帯電話を例示したが、携帯電話に限らず、ＰＤＡ（Personal Digital Assistants）、やゲーム機等にも同様に適用が可能である。また、本発明の携帯電子機器が持つ各構成ブロックの機能は、全てをソフトウェアによって実現しても、あるいはその少なくとも一部をハードウエアで実現してもよい。例えば、主制御部１２０における処理や、自動再生設定部１２１、自動再生処理部１２３におけるデータ処理は、１または複数のプログラムによりコンピュータ上で実現してもよく、また、その少なくとも一部をハードウエアで実現してもよい。
【図面の簡単な説明】
【００４５】
【図１】本発明の実施の形態に係る携帯電子機器（携帯電話）の内部構成をブロックで示した図である。
【図２】図１に示す表示部の内部構成を示すブロック図である。
【図３】本発明の実施の形態に係る携帯電子機器（携帯電話）の動作を示すフローチャートである。
【符号の説明】
【００４６】
１１…通信部、１２…制御部、１３…記憶部、１４…音声処理部、１５…操作部、１６表示部、１２０…主制御部、１２１…自動再生設定部、１２２…画像取得部、１２３…自動再生処理部、１６１…タイミング制御部、１６２…カラム駆動部、１６３…ロウ駆動部、１６４…電源部、１６５…ＯＬＥＤパネル本体
【図１】
2008278046.tif 000003
【図２】
2008278046.tif 000004
【図３】
2008278046.tif 000005